(57)【要約】【課題】ワインを購入または予約するためのシステムを提供すること。【解決手段】本発明のシステムは、複数のワインの情報をユーザに提示する手段と、複数のワインのうちの１つを選択する第１のユーザ入力を受信する手段と、選択されたワインに対応する１つ以上の店舗の情報をユーザに提示する手段と、１つ以上の店舗のうちの１つを選択する第２のユーザ入力を受信する手段と、第２のユーザ入力を受信したことに応答して、選択された店舗において選択されたワインをユーザに提供するために、選択されたワインを購入または予約するための処理を実行する手段とを備える。【選択図】図１
2020194490.tif 000002
【特許請求の範囲】
【請求項１】
ワインを購入または予約するためのシステムであって、前記システムは、
複数のワインの情報をユーザに提示する手段と、
前記複数のワインのうちの１つを選択する第１のユーザ入力を受信する手段と、
前記選択されたワインに対応する１つ以上の店舗の情報を前記ユーザに提示する手段と、
前記１つ以上の店舗のうちの１つを選択する第２のユーザ入力を受信する手段と、
前記第２のユーザ入力を受信したことに応答して、前記選択された店舗において前記選択されたワインを前記ユーザに提供するために、前記選択されたワインを購入または予約するための処理を実行する手段と
を備える、システム。
【請求項２】
前記選択された店舗を予約するための処理を実行する手段をさらに備える、請求項１に記載のシステム。
【請求項３】
前記選択された店舗を予約するための処理は、前記選択された店舗への前記選択されたワインの持ち込みを前提として前記選択された店舗を予約するための処理、または、前記選択された店舗への前記選択されたワインの配送を前提として前記選択された店舗を予約するための処理を含む、請求項２に記載のシステム。
【請求項４】
前記選択された店舗を予約するための処理は、
前記選択されたワインが前記選択された店舗の在庫に存在するか否かを判定するための処理と、
前記選択されたワインが前記選択された店舗の在庫に存在すると判定された場合に、前記選択されたワインを前記選択された店舗に取り置くための処理と、
前記選択された店舗における前記選択されたワインの提供を前提として前記選択された店舗を予約するための処理と
を含む、請求項２に記載のシステム。
【請求項５】
前記選択されたワインに対応する１つ以上の店舗は、前記選択されたワインに合う料理を前記ユーザに提供することが可能な１つ以上の店舗を含む、請求項１〜４のいずれかに記載のシステム。
【請求項６】
前記第１のユーザ入力を受信したことに応答して、前記選択されたワインに合う１つ以上の料理の情報を提示する手段と、
前記１つ以上の料理のうちの１つを選択する第３のユーザ入力を受信する手段と
をさらに備え、
前記選択されたワインに対応する１つ以上の店舗の情報を前記ユーザに提示する手段は、
前記第３のユーザ入力を受信したことに応答して、前記選択された料理を前記ユーザに提供することが可能な１つ以上の店舗の情報を前記ユーザに提示する手段
を含む、請求項１〜５のいずれかに記載のシステム。
【請求項７】
前記複数のワインは、複数の店舗を卸売先とする卸業者が少なくとも所有する複数のワインを含み、
前記複数の店舗は、前記１つ以上の店舗を含む、請求項１〜６のいずれかに記載のシステム。
【請求項８】
前記卸業者が少なくとも所有する複数のワインは、前記卸業者が所有するワインと、前記卸業者の仕入れ先である仕入れ業者が所有するワインとを含む、請求項７に記載のシステム。
【請求項９】
前記ユーザに提示される前記複数のワインの情報をリアルタイムに更新する手段をさらに備える、請求項１〜８のいずれかに記載のシステム。
【請求項１０】
前記予約された店舗において前記ユーザが消費したワインの情報を受信する手段であって、前記ユーザが消費したワインは、前記購入または予約されたワインと、前記予約された店舗に持ち込まれたワインまたは前記予約された店舗に配送されたワインまたは前記予約された店舗の在庫に存在したワインとを含む、手段と、
前記ユーザが消費したワインの情報に基づいて、ワインの消費傾向を評価するための処理を実行する手段と
をさらに備える、請求項１〜９のいずれかに記載のシステム。
【請求項１１】
ワインを購入または予約するためのシステムにおいて実行される方法であって、前記システムは、プロセッサ部を備え、前記方法は、
前記プロセッサ部が、複数のワインの情報をユーザに提示することと、
前記プロセッサ部が、前記複数のワインのうちの１つを選択する第１のユーザ入力を受信することと、
前記プロセッサ部が、前記選択されたワインに対応する１つ以上の店舗の情報を前記ユーザに提示することと、
前記プロセッサ部が、前記１つ以上の店舗のうちの１つを選択する第２のユーザ入力を受信することと、
前記プロセッサ部が、前記第２のユーザ入力を受信したことに応答して、前記選択された店舗において前記選択されたワインを前記ユーザに提供するために、前記選択されたワインを購入または予約するための処理を実行することと
を含む、方法。
【請求項１２】
ワインを購入または予約するためのシステムにおいて実行されるプログラムであって、前記システムは、プロセッサ部を備え、
前記プログラムは、前記プロセッサ部によって実行されると、
複数のワインの情報をユーザに提示することと、
前記複数のワインのうちの１つを選択する第１のユーザ入力を受信することと、
前記選択されたワインに対応する１つ以上の店舗の情報を前記ユーザに提示することと、
前記１つ以上の店舗のうちの１つを選択する第２のユーザ入力を受信することと、
前記第２のユーザ入力を受信したことに応答して、前記選択された店舗において前記選択されたワインを前記ユーザに提供するために、前記選択されたワインを購入または予約するための処理を実行することと
を少なくとも実行することを前記プロセッサ部に行わせる、プログラム。
【請求項１３】
ワインを購入または予約するためのシステムであって、前記システムは、
複数の店舗の情報をユーザに提示する手段と、
前記複数の店舗のうちの１つを選択する第１のユーザ入力を受信する手段と、
前記第１のユーザ入力を受信したことに応答して、前記選択された店舗に対応する１本以上のワインの情報を前記ユーザに提示する手段と、
前記１本以上のワインのうちの１つを選択する第２のユーザ入力を受信する手段と、
前記第２のユーザ入力を受信したことに応答して、前記選択された店舗において前記選択されたワインを前記ユーザに提供するために、前記選択された店舗と前記選択されたワインとを予約するための処理を実行する手段と
を備える、システム。
【請求項１４】
前記選択された店舗に対応する１本以上のワインは、前記選択された店舗の在庫に存在する１本以上のワインを含む、請求項１３に記載のシステム。
【請求項１５】
前記選択された店舗に対応する１本以上のワインは、複数の店舗を卸売先とする卸業者が少なくとも所有する１本以上のワインを含む、請求項１３に記載のシステム。
【請求項１６】
前記卸業者が少なくとも所有する１本以上のワインは、前記卸業者が所有するワインと、前記卸業者の仕入れ先である仕入れ業者が所有するワインとを含む、請求項１５に記載のシステム。
【請求項１７】
前記ユーザに提示される前記１本以上のワインの情報をリアルタイムに更新する手段をさらに備える、請求項１３〜１６のいずれかに記載のシステム。
【請求項１８】
前記予約された店舗において前記ユーザが消費したワインの情報を受信する手段であって、前記ユーザが消費したワインは、前記選択されたワインと、前記予約された店舗に持ち込まれたワインまたは前記予約された店舗に配送されたワインまたは前記予約された店舗の在庫に存在したワインとを含む、手段と、
前記ユーザが消費したワインの情報に基づいて、前記購入または予約されたワインの消費傾向を評価するための処理を実行する手段と
をさらに備える、請求項１３〜１７のいずれかに記載のシステム。
【請求項１９】
ワインを購入または予約するためのシステムにおいて実行される方法であって、前記システムは、プロセッサ部を備え、前記方法は、
前記プロセッサ部が、複数の店舗の情報をユーザに提示することと、
前記プロセッサ部が、前記複数の店舗のうちの１つを選択する第１のユーザ入力を受信することと、
前記プロセッサ部が、前記第１のユーザ入力を受信したことに応答して、前記選択された店舗に対応する１本以上のワインの情報を前記ユーザに提示することと、
前記プロセッサ部が、前記１本以上のワインのうちの１つを選択する第２のユーザ入力を受信することと、
前記プロセッサ部が、前記第２のユーザ入力を受信したことに応答して、前記選択された店舗において前記選択されたワインを前記ユーザに提供するために、前記選択された店舗と前記選択されたワインとを予約するための処理を実行することと
を含む、方法。
【請求項２０】
ワインを購入または予約するためのシステムにおいて実行されるプログラムであって、前記システムは、プロセッサ部を備え、
前記プログラムは、前記プロセッサ部によって実行されると、
複数の店舗の情報をユーザに提示することと、
前記複数の店舗のうちの１つを選択する第１のユーザ入力を受信することと、
前記第１のユーザ入力を受信したことに応答して、前記選択された店舗に対応する１本以上のワインの情報を前記ユーザに提示することと、
前記１本以上のワインのうちの１つを選択する第２のユーザ入力を受信することと、
前記第２のユーザ入力を受信したことに応答して、前記選択された店舗において前記選択されたワインを前記ユーザに提供するために、前記選択された店舗と前記選択されたワインとを予約するための処理を実行することと
を少なくとも実行することを前記プロセッサ部に行わせる、プログラム。
【発明の詳細な説明】
【技術分野】
【０００１】
本発明は、ワインを購入または予約するためのシステム、そのシステムにおいて実行される方法およびプログラムに関する。
【背景技術】
【０００２】
従来から、レストランなどの店舗を予約するためのウェブサイトが知られている（例えば、非特許文献１を参照）。
【先行技術文献】
【非特許文献】
【０００３】
【非特許文献１】株式会社ぐるなび、“宴会・グルメ情報検索サイト  ぐるなび”、［online］、［平成３１年５月１５日検索］、インターネット<URL: https://www.gnavi.co.jp/>
【発明の概要】
【発明が解決しようとする課題】
【０００４】
従来の店舗を予約するためのウェブサイトでは、ユーザが飲みたいワインがあったとしても、ユーザが飲みたいワインを基準にして、ユーザが飲みたいワインを提供可能な店舗を検索することができなかった。そのため、店舗を検索した後にその店舗で提供可能なワインの中に飲みたいワインがあるかどうかをユーザがいちいちチェックしなければならないという課題や、ユーザが予約した店舗に行ってはじめてユーザが飲みたいワインがその店舗には置かれていないことに気づくという課題があった。
【０００５】
本発明は、ユーザが予約した店舗においてユーザが飲みたいワインを飲むことができるように、ユーザがワインを購入または予約することを可能にするシステム、そのシステムにおいて実行される方法およびプログラムを提供することを目的の１つとする。
【課題を解決するための手段】
【０００６】
本発明の１つの局面において、本発明のシステムは、ワインを購入または予約するためのシステムであり、前記システムは、複数のワインの情報をユーザに提示する手段と、前記複数のワインのうちの１つを選択する第１のユーザ入力を受信する手段と、前記選択されたワインに対応する１つ以上の店舗の情報を前記ユーザに提示する手段と、前記１つ以上の店舗のうちの１つを選択する第２のユーザ入力を受信する手段と、前記第２のユーザ入力を受信したことに応答して、前記選択された店舗において前記選択されたワインを前記ユーザに提供するために、前記選択されたワインを購入または予約するための処理を実行する手段とを備える。
【０００７】
本発明の１つの実施形態では、前記選択された店舗を予約するための処理を実行する手段をさらに備えてもよい。
【０００８】
本発明の１つの実施形態では、前記選択された店舗を予約するための処理は、前記選択された店舗への前記選択されたワインの持ち込みを前提として前記選択された店舗を予約するための処理、または、前記選択された店舗への前記選択されたワインの配送を前提として前記選択された店舗を予約するための処理を含んでいてもよい。
【０００９】
本発明の１つの実施形態では、前記選択された店舗を予約するための処理は、前記選択されたワインが前記選択された店舗の在庫に存在するか否かを判定するための処理と、前記選択されたワインが前記選択された店舗の在庫に存在すると判定された場合に、前記選択されたワインを前記選択された店舗に取り置くための処理と、前記選択された店舗における前記選択されたワインの提供を前提として前記選択された店舗を予約するための処理とを含んでいてもよい。
【００１０】
本発明の１つの実施形態では、前記選択されたワインに対応する１つ以上の店舗は、前記選択されたワインに合う料理を前記ユーザに提供することが可能な１つ以上の店舗を含んでいてもよい。
【００１１】
本発明の１つの実施形態では、前記第１のユーザ入力を受信したことに応答して、前記選択されたワインに合う１つ以上の料理の情報を提示する手段と、前記１つ以上の料理のうちの１つを選択する第３のユーザ入力を受信する手段とをさらに備え、前記選択されたワインに対応する１つ以上の店舗の情報を前記ユーザに提示する手段は、前記第３のユーザ入力を受信したことに応答して、前記選択された料理を前記ユーザに提供することが可能な１つ以上の店舗の情報を前記ユーザに提示する手段を含んでいてもよい。
【００１２】
本発明の１つの実施形態では、前記複数のワインは、複数の店舗を卸売先とする卸業者が少なくとも所有する複数のワインを含み、前記複数の店舗は、前記１つ以上の店舗を含んでいてもよい。
【００１３】
本発明の１つの実施形態では、前記卸業者が少なくとも所有する複数のワインは、前記卸業者が所有するワインと、前記卸業者の仕入れ先である仕入れ業者が所有するワインとを含んでいてもよい。
【００１４】
本発明の１つの実施形態では、前記ユーザに提示される前記複数のワインの情報をリアルタイムに更新する手段をさらに備えていてもよい。
【００１５】
本発明の１つの実施形態では、前記予約された店舗において前記ユーザが消費したワインの情報を受信する手段であって、前記ユーザが消費したワインは、前記購入または予約されたワインと、前記予約された店舗に持ち込まれたワインまたは前記予約された店舗に配送されたワインまたは前記予約された店舗の在庫に存在したワインとを含む、手段と、前記ユーザが消費したワインの情報に基づいて、ワインの消費傾向を評価するための処理を実行する手段とをさらに備えていてもよい。
【００１６】
本発明の１つの局面において、本発明の方法は、ワインを購入または予約するためのシステムにおいて実行される方法であり、前記システムは、プロセッサ部を備え、前記方法は、前記プロセッサ部が、複数のワインの情報をユーザに提示することと、前記プロセッサ部が、前記複数のワインのうちの１つを選択する第１のユーザ入力を受信することと、前記プロセッサ部が、前記選択されたワインに対応する１つ以上の店舗の情報を前記ユーザに提示することと、前記プロセッサ部が、前記１つ以上の店舗のうちの１つを選択する第２のユーザ入力を受信することと、前記プロセッサ部が、前記第２のユーザ入力を受信したことに応答して、前記選択された店舗において前記選択されたワインを前記ユーザに提供するために、前記選択されたワインを購入または予約するための処理を実行することとを含む。
【００１７】
本発明の１つの局面において、本発明のプログラムは、ワインを購入または予約するためのシステムにおいて実行されるプログラムであり、前記システムは、プロセッサ部を備え、前記プログラムは、前記プロセッサ部によって実行されると、複数のワインの情報をユーザに提示することと、前記複数のワインのうちの１つを選択する第１のユーザ入力を受信することと、前記選択されたワインに対応する１つ以上の店舗の情報を前記ユーザに提示することと、前記１つ以上の店舗のうちの１つを選択する第２のユーザ入力を受信することと、前記第２のユーザ入力を受信したことに応答して、前記選択された店舗において前記選択されたワインを前記ユーザに提供するために、前記選択されたワインを購入または予約するための処理を実行することとを少なくとも実行することを前記プロセッサ部に行わせる。
【００１８】
本発明の１つの局面において、本発明のシステムは、ワインを購入または予約するためのシステムであり、前記システムは、複数の店舗の情報をユーザに提示する手段と、前記複数の店舗のうちの１つを選択する第１のユーザ入力を受信する手段と、前記第１のユーザ入力を受信したことに応答して、前記選択された店舗に対応する１本以上のワインの情報を前記ユーザに提示する手段と、前記１本以上のワインのうちの１つを選択する第２のユーザ入力を受信する手段と、前記第２のユーザ入力を受信したことに応答して、前記選択された店舗において前記選択されたワインを前記ユーザに提供するために、前記選択された店舗と前記選択されたワインとを予約するための処理を実行する手段とを備える。
【００１９】
本発明の１つの実施形態では、前記選択された店舗に対応する１本以上のワインは、前記選択された店舗の在庫に存在する１本以上のワインを含んでいてもよい。
【００２０】
本発明の１つの実施形態では、前記選択された店舗に対応する１本以上のワインは、複数の店舗を卸売先とする卸業者が少なくとも所有する１本以上のワインを含んでいてもよい。
【００２１】
本発明の１つの実施形態では、前記卸業者が少なくとも所有する１本以上のワインは、前記卸業者が所有するワインと、前記卸業者の仕入れ先である仕入れ業者が所有するワインとを含んでいてもよい。
【００２２】
本発明の１つの実施形態では、前記ユーザに提示される前記１本以上のワインの情報をリアルタイムに更新する手段をさらに備えていてもよい。
【００２３】
本発明の１つの実施形態では、前記予約された店舗において前記ユーザが消費したワインの情報を受信する手段であって、前記ユーザが消費したワインは、前記選択されたワインと、前記予約された店舗に持ち込まれたワインまたは前記予約された店舗に配送されたワインまたは前記予約された店舗の在庫に存在したワインとを含む、手段と、前記ユーザが消費したワインの情報に基づいて、前記購入または予約されたワインの消費傾向を評価するための処理を実行する手段とをさらに備えていてもよい。
【００２４】
本発明の１つの局面において、本発明の方法は、ワインを購入または予約するためのシステムにおいて実行される方法であり、前記システムは、プロセッサ部を備え、前記方法は、前記プロセッサ部が、複数の店舗の情報をユーザに提示することと、前記プロセッサ部が、前記複数の店舗のうちの１つを選択する第１のユーザ入力を受信することと、前記プロセッサ部が、前記第１のユーザ入力を受信したことに応答して、前記選択された店舗に対応する１本以上のワインの情報を前記ユーザに提示することと、前記プロセッサ部が、前記１本以上のワインのうちの１つを選択する第２のユーザ入力を受信することと、前記プロセッサ部が、前記第２のユーザ入力を受信したことに応答して、前記選択された店舗において前記選択されたワインを前記ユーザに提供するために、前記選択された店舗と前記選択されたワインとを予約するための処理を実行することとを含む。
【００２５】
本発明の１つの局面において、本発明のプログラムは、ワインを購入または予約するためのシステムにおいて実行されるプログラムであり、前記システムは、プロセッサ部を備え、前記プログラムは、前記プロセッサ部によって実行されると、複数の店舗の情報をユーザに提示することと、前記複数の店舗のうちの１つを選択する第１のユーザ入力を受信することと、前記第１のユーザ入力を受信したことに応答して、前記選択された店舗に対応する１本以上のワインの情報を前記ユーザに提示することと、前記１本以上のワインのうちの１つを選択する第２のユーザ入力を受信することと、前記第２のユーザ入力を受信したことに応答して、前記選択された店舗において前記選択されたワインを前記ユーザに提供するために、前記選択された店舗と前記選択されたワインとを予約するための処理を実行することとを少なくとも実行することを前記プロセッサ部に行わせる。
【発明の効果】
【００２６】
本発明によれば、ユーザが予約した店舗においてユーザが飲みたいワインを飲むことができるように、ユーザがワインを購入または予約することを可能にするシステム、そのシステムにおいて実行される方法およびプログラムを提供することが可能である。
【図面の簡単な説明】
【００２７】
【図１】ワインの購入・予約を利用した新しいビジネスモデルのフローを示す図
【図２Ａ】ユーザ装置に表示される画面２００を示す図
【図２Ｂ】ユーザ装置に表示される画面２１０を示す図
【図２Ｃ】ユーザ装置に表示される画面２２０を示す図
【図２Ｄ】ユーザ装置に表示される画面２３０を示す図
【図２Ｅ】ユーザ装置に表示される画面２４０を示す図
【図２Ｆ】ユーザ装置に表示される画面２５０を示す図
【図２Ｇ】ユーザ装置に表示される画面２６０を示す図
【図３】上述した新しいビジネスモデルを実現するためのコンピュータシステム３００の構成の一例を示す図
【図４Ａ】ワインデータベース部３４１に格納されている情報の構成の一例を示す図
【図４Ｂ】店舗データベース部３４２に格納されている情報の構成の一例を示す図
【図５】コンピュータシステム３００において実行される処理のフローの一例を示す図
【図６】コンピュータシステム３００において実行される処理のフローの他の一例を示す図
【図７】コンピュータシステム３００において実行される処理のフローの一例を示す図
【図８】コンピュータシステム３００において実行される処理のフローの一例を示す図
【発明を実施するための形態】
【００２８】
以下、図面を参照しながら、本発明の実施の形態を説明する。
【００２９】
１．ワインの購入・予約を利用した新しいビジネスモデル
図１は、ワインの購入・予約を利用した新しいビジネスモデルのフローを示す。以下、このフローの各ステップを詳しく説明する。
【００３０】
ステップＳ００１：卸業者は、卸業者が所有するワインの情報と、卸業者の卸売先である店舗の情報とをウェブサイトに掲載する。ワインの情報は、例えば、ワインの銘柄、種類、産地、ヴィンテージ、ボディ、価格、相性の良い料理などであるが、これらに限定されない。店舗の情報は、例えば、店舗の店名、住所、ジャンル、営業日時、アクセス方法、ワインリスト、ワインの持ち込みの可否を示す情報、ワインの直送の可否を示す情報などであるが、これらに限定されない。
【００３１】
ステップＳ００２：顧客は、ユーザ装置を用いて、ウェブサイトに掲載されているワインの情報にアクセスする。顧客は、ワインの情報にアクセスすることによって、自分が飲みたいワインを特定することが可能である。次いで、顧客は、ユーザ装置を用いて、ウェブサイトに掲載されている店舗の情報にアクセスする。この店舗の情報は、例えば、顧客が特定したワインが在庫に存在する店舗の情報、顧客が特定したワインを顧客が持ち込むことが可能な店舗の情報、顧客が特定したワインを直送可能な店舗の情報、顧客が特定したワインに合う料理を提供している店舗の情報などであるが、これらに限定されない。顧客は、店舗の情報にアクセスすることによって、その店舗を予約することが可能である。さらに、顧客は、その店舗の予約ととともに、顧客が特定したワインをその店舗で消費することを前提として、顧客が特定したワインの予約（例えば、顧客が特定したワインの取り置き、顧客が特定したワインの直送、顧客が特定したワインの持ち込み）を行うことが可能である。
【００３２】
なお、このウェブサイトに入るためにユーザＩＤおよびパスワードを予め登録することを必要とし、ユーザＩＤおよびパスワードを用いてワインの情報および店舗の情報にアクセスすることを許可するようにしてもよい。
【００３３】
ステップＳ００３：顧客は、ステップＳ００２において予約した店舗を訪れ、予約したワインを消費し、対価を店舗に支払う。
【００３４】
ステップＳ００４：店舗は、店舗の情報をウェブサイトに掲載するための広告料、および、送客手数料などを卸業者に提供する。なお、店舗は、顧客のワインの購買行動・消費行動のデータを卸業者にさらに提供してもよい。
【００３５】
このように、顧客は、ウェブサイト上で最初に、卸業者が所有する全てのワインを閲覧することが可能であり、それ故、卸業者が所有する全てのワインの中から所望のワインを選択することが可能である。従って、顧客は、ワインの選択肢が特定の店舗の在庫に限定されることなく、バリエーション豊かな様々なワインを吟味することが可能である。
【００３６】
また、顧客は、ウェブサイト上で、顧客が特定した所望のワインに合う料理を提供している店舗の情報を閲覧し、その中から予約したい店舗を選択することが可能である。これにより、顧客は、ワインと料理との組み合わせの良し悪しを知らなかったとしても、所望のワインと、その所望のワインに合う料理とを同時に味わうことをより簡単に実現することが可能である。
【００３７】
また、店舗は、顧客が特定したワインの直送、および／または、顧客が特定したワインの持ち込みによって、通常抱えきれない銘柄数および在庫数のワインを顧客に提供することが可能であり、これにより、顧客の満足度の向上、および、顧客のワインの消費量・消費額の増大を達成することが可能である。
【００３８】
また、卸業者は、店舗から、顧客のワインの購買行動・消費行動のデータを受け取ることが可能であり、これにより、卸業者は、ワインの仕入れの最適化、各店舗におけるワインの品揃えの最適化などを図ることが可能である。
【００３９】
なお、上述した実施形態では、卸業者が所有するワインの情報が顧客に提示される例を説明したが、本発明はこれに限定されない。例えば、ステップＳ００１において、卸業者が、卸業者の仕入れ先である仕入れ業者（インポーター）が所有するワインの情報と、卸業者が所有するワインの情報と、卸業者の卸売先である店舗の情報とをウェブサイトに掲載することにより、顧客は、卸業者が所有するワインの情報だけでなく、仕入れ業者が所有するワインの情報も閲覧することが可能であるようにしてもよい。
【００４０】
２．ユーザ装置に表示される画面
図２Ａ〜図２Ｇは、ユーザ装置に表示される画面２００〜２６０を示す。画面２００〜２６０の表示および遷移は、例えば、ユーザ装置のメモリ部に格納されているプログラムが、ユーザ装置のプロセッサ部によって実行されることによって達成される。画面２００〜２６０は、それぞれ、その全体がユーザ装置に表示されていなくてもよい。例えば、ユーザ装置には画面２００の一部が表示されており、スクロール操作を行うことによって画面２００の他の一部が表示されるようにしてもよい。
【００４１】
図２Ａは、ユーザ装置に表示される画面２００を示す。画面２００は、複数のワインの中から所望のワインを検索するためのワイン検索画面の一例である。図２Ａに示される例では、画面２００は、キーワード検索を行うための検索ボタン２０１と、ワインの情報が一覧表示されるワイン情報領域２０２とを含む。
【００４２】
ユーザが検索ボタン２０１を選択すると、ワインを検索するための検索条件を入力するための画面が表示される。ユーザは、その画面にワインの検索条件を入力することが可能である。ワインの検索条件は、例えば、価格（例えば、〜１９９９円、２０００〜４９９９円、５０００〜９９９９円、１００００〜２９９９９円、３００００円〜）、タイプ（例えば、ワイン（赤）、ワイン（白）、ワイン（ロゼ）、スパークリングワイン）、産地（例えば、フランス（ブルゴーニュ）、フランス（ボルドー）、イタリア（トスカーナ）、イタリア（ピエモンテ）、スペイン、ドイツ、アメリカ、オーストラリア、アルゼンチン、南アフリカ、日本、中国）、品種（例えば、ピノ・ノワール、カベルネ・ソーヴィニヨン、メルロー、シャルドネ、リースリング）、ヴィンテージ（例えば、２０１０年以降、２０００〜２００９年、１９９０〜１９９９年、１９８０〜１９８９年、１９７９年以前）、ボディ（例えば、ライトボディ、ミディアムボディ、フルボディ）などを含むが、これらに限定されない。
【００４３】
図２Ａに示される例では、ワイン情報領域２０２は、ワインＡの情報を示す領域２０２ａと、ワインＢの情報を示す領域２０２ｂと、ワインＣの情報を示す領域２０２ｃと、ワインＤの情報を示す領域２０２ｄとを含む。領域２０２ａ〜領域２０２ｄは、それぞれ、選択可能なように構成されている。
【００４４】
図２Ａに示される例では、おすすめ商品および新着商品のみが、ワイン情報領域２０２に表示されている。あるいは、おすすめ商品および新着商品に加えて、または、おすすめ商品および新着商品の代わりに、ワインの検索条件が入力されたことに応じて生成されるワインの検索結果がワイン情報領域２０２に表示されるようにしてもよい。
【００４５】
図２Ｂは、ユーザ装置に表示される画面２１０を示す。画面２１０は、ワインの詳細な情報を提示するためのワイン詳細画面の一例である。画面２１０は、例えば、図２Ａに示される領域２０２ａを選択することによって画面２００から遷移した画面である。図２Ｂに示される例では、画面２１０は、ワインＡの詳細な情報を提示している。図２Ｂに示される例では、画面２１０は、ワインＡをカートに追加して最終的にそのワインＡの購入手続きに移行するためのカート追加領域２１１と、ワインＡに合う料理の情報を示す料理情報領域２１２と、ワインＡを提供している店舗の情報を示す店舗情報領域２１３とを含む。
【００４６】
図２Ｂに示される例では、料理情報領域２１２は、ワインＡに合う料理「短角牛のロースト」の情報を示す領域２１４ａと、ワインＡに合う料理「トリュフリゾット」の情報を示す領域２１４ｂと、ワインＡに合う料理「ローストビーフ」の情報を示す領域２１４ｃとを含む。すなわち、図２Ｂに示される例では、ワインＡに合う料理として、「短角牛のロースト」と「トリュフリゾット」と「ローストビーフ」とが挙げられている。図２Ｂに示される例では、領域２１４ａは、料理「短角牛のロースト」を提供することが可能な店舗Ａと関連付けられており、領域２１４ｂは、料理「トリュフリゾット」を提供することが可能な店舗Ｂと関連付けられており、領域２１４ｃは、料理「ローストビーフ」を提供することが可能な店舗Ｃと関連付けられている。また、領域２１４ａ、領域２１４ｂ、領域２１４ｃは、それぞれ、店舗ＡへのワインＡの持ち込みを前提とした店舗Ａの予約を行うための持込予約ボタン２１４αと、店舗ＡへのワインＡの直送を前提とした店舗Ａの予約を行うための直送予約ボタン２１４βとを含む。図２Ｂに示される例では、領域２１４ａの持込予約ボタン２１４αおよび直送予約ボタン２１４βの両方が選択可能な態様で提示されている。これは、店舗Ａが、ワインの持ち込みおよびワインの直送の両方に対応することが可能な店舗であることを意味する。図２Ｂに示される例では、領域２１４ｂの持込予約ボタン２１４αが選択可能な態様で提示されている一方で、領域２１４ｂの直送予約ボタン２１４βが選択不可能な態様で提示されている。これは、店舗Ｂが、ワインの持ち込みに対応することが可能であるがワインの直送に対応することが可能ではない店舗であることを意味する。図２Ｂに示される例では、領域２１４ｃの持込予約ボタン２１４αが選択不可能な態様で提示されている一方で、領域２１４ｃの直送予約ボタン２１４βが選択可能な態様で提示されている。これは、店舗Ｃが、ワインの持ち込みに対応することが可能ではないがワインの直送に対応することが可能な店舗であることを意味する。なお、料理情報領域２１２における「一覧を見る」ボタンがユーザによって選択されることによって、ワインＡに合う料理の情報が（例えば、一覧表示で）ユーザに提示されるようにしてもよい。
【００４７】
図２Ｂに示される例では、店舗情報領域２１３は、ワインＡを提供している店舗Ａの情報を示す領域２１５ａと、ワインＡを提供している店舗Ｄの情報を示す領域２１５ｄと、ワインＡを提供している店舗Ｅの情報を示す領域２１５ｅとを含む。領域２１５ａ、領域２１５ｄ、領域２１５ｅは、それぞれ、選択可能なように構成されている。なお、店舗情報領域２１３における「一覧を見る」ボタンがユーザによって選択されることにより、ワインＡを提供している店舗の情報が（例えば、一覧表示で）ユーザに提示されるようにしてもよい。また、店舗情報領域２１３に提示される１つ以上の店舗の情報は、ワインＡを平常時に提供している店舗の情報であってもよいし、ワインＡをその時点で提供することが可能な店舗のリアルタイムな情報であってもよい。
【００４８】
図２Ｂに示される領域２１４ａ、または、領域２１４ａにおける持込予約ボタン２１４α、または、領域２１４ａにおける直送予約ボタン２１４βがユーザによって選択されると、画面２１０は、後述される図２Ｅの画面２４０に遷移する。あるいは、領域２１４ａにおける持込予約ボタン２１４αがユーザによって選択されると、画面２１０が、店舗ＡへのワインＡの持ち込みを前提とした店舗Ａの予約を行うための専用の画面に遷移するようにしてもよい。あるいは、領域２１４ａにおける直送予約ボタン２１４βがユーザによって選択されると、画面２１０が、店舗ＡへのワインＡの直送を前提とした店舗Ａの予約を行うための専用の画面に遷移するようにしてもよい。領域２１４ｂ、領域２１４ｂにおける持込予約ボタン２１４α、領域２１４ｃ、領域２１４ｃにおける直送予約ボタン２１４βがユーザによって選択された場合も同様である。
【００４９】
図２Ｂに示される領域２１５ａがユーザによって選択されると、画面２１０は、後述される図２Ｆの画面２５０に遷移する。領域２１５ｄ、領域２１５ｅがユーザによって選択された場合も同様である。
【００５０】
図２Ｃは、ユーザ装置に表示される画面２２０を示す。画面２２０は、注文内容を確認するための注文内容確認画面の一例である。画面２２０は、例えば、図２Ｂに示されるカート追加領域２１１を選択することによって画面２１０から遷移した画面である。図２Ｃに示される例では、画面２２０は、注文の内容がワインＡであることを示す。図２Ｃに示される例では、画面２２０は、注文されるワインの内容を示す注文情報領域２２１と、注文者（ユーザ）の個人情報を示す注文者情報領域２２２と、注文されるワインの配送先を示す配送先情報領域２２３とを含む。
【００５１】
図２Ｃに示される例では、注文情報領域２２１には、１本あたりの価格１２３４５円のワインＡが１本注文されていることを示す注文情報がワインＡの画像と共に表示されている。ただし、注文情報領域２２１に表示されるワインの画像の数や小計は、注文されるワインの種類や本数に応じて変化し得る。また、図２Ｃに示される例では、注文者情報領域２２２には、注文者の個人情報として、注文者の氏名、住所、電話番号が表示されているが、注文者情報領域２２２に表示される注文者の個人情報はこれらに限定されない。また、図２Ｃに示される例では、配送先情報領域２２３において、注文されるワインの配送先を注文者の住所にするか店舗にするかを選択することが可能である。注文されるワインの配送先として店舗が選択された場合には、図２Ｃに示されるように、配送先情報領域２２３には、店舗一覧から配送先の店舗を選択するための店舗一覧選択領域と、ワインＡに合う料理を提供している店舗を探すための料理ベース選択領域２２４とが表示される。店舗一覧選択領域が選択されると、例えば、ワインを提供している全ての店舗の一覧が（例えば、プルダウン形式で）表示される。
【００５２】
図２Ｄは、ユーザ装置に表示される画面２３０を示す。画面２３０は、ワインに合う料理を提供する店舗の一覧画面の一例である。画面２３０は、例えば、図２Ｃに示される料理ベース選択領域２２４を選択することによって画面２２０から遷移した画面である。図２Ｄに示される例では、画面２３０は、ワインＡに合う料理を提供している１つ以上の店舗の情報を提示している。図２Ｄに示される例では、画面２３０は、ワインＡに合う料理を提供している１つ以上の店舗の情報を一覧表示する領域２３１を含む。
【００５３】
図２Ｄに示される例では、領域２３１は、ワインＡに合う料理「短角牛のロースト」を提供している店舗Ａの情報を示す領域２３１ａと、ワインＡに合う料理「トリュフリゾット」を提供している店舗Ｂの情報を示す領域２３１ｂと、ワインＡに合う料理「ローストビーフ」を提供している店舗Ｃの情報を示す領域２３１ｃと、ワインＡに合う料理「煮込みハンバーグ」を提供している店舗Ｆの情報を示す領域２３１ｆと、ワインＡに合う料理「タラバガニリゾット」を提供している店舗Ｇの情報を示す領域２３１ｇと、ワインＡに合う料理「ローストポーク」を提供している店舗Ｈの情報を示す領域２３１ｈとを含む。領域２３１ａ、領域２３１ｂ、領域２３１ｃ、領域２３１ｆ、領域２３１ｇ、領域２３１ｈは、それぞれ、選択可能なように構成されている。
【００５４】
図２Ｅは、ユーザ装置に表示される画面２４０を示す。画面２４０は、店舗の詳細な情報を提示するための店舗詳細画面の一例である。画面２４０は、例えば、図２Ｄに示される領域２３１ａを選択することによって画面２３０から遷移した画面である。図２Ｅに示される例では、画面２４０は、店舗Ａの詳細な情報を提示している。図２Ｅに示される例では、画面２４０は、店舗Ａの予約を進めるための予約ボタン２４１と、ワインの持ち込みの可否を示すワイン持込情報２４２と、ワインの直送の可否を示すワイン直送情報２４３とを含む。画面２４０は、店舗Ａの特色を示す情報、店舗Ａの基礎的な情報（例えば、住所）、店舗Ａへのアクセス方法を示す情報、店舗Ａへのワインの持ち込みに関する情報などを示す領域をさらに含み得る。
【００５５】
図２Ｅに示される例では、予約ボタン２４１は、選択可能なように構成されている。ユーザが予約ボタン２４１を選択することにより、画面２４０は、店舗Ａの予約を実行するための画面に遷移する。
【００５６】
図２Ｅに示される例では、ワイン持込情報２４２は、「〇」を示している。これは、店舗Ａへのワインの持ち込みが可能であることを意味する。また、図２Ｅに示される例では、ワイン直送情報２４３は、「〇」を示している。これは、店舗Ａへのワインの直送が可能であることを意味する。
【００５７】
なお、画面が図２Ｃの画面２２０から図２Ｄの画面２３０を介して最終的に図２Ｅの画面２４０に遷移した後に、ユーザが店舗の予約を完了させると、図２Ｃの画面２２０におけるワインの注文が自動的に確定する。これにより、ユーザが店舗の予約当日にその店舗においてワインＡを飲むことができるように、ワインＡがその店舗に直送される。
【００５８】
また、図２Ｂの領域２１４ａまたは持込予約ボタン２１４αまたは直送予約ボタン２１４βがユーザによって選択されることによって画面が図２Ｂの画面２１０から図２Ｅの画面２４０に遷移した場合、予約ボタン２４１が選択されたことに応答して、ワインＡが自動的にカートインされるようにしてもよい。
【００５９】
図２Ｆは、ユーザ装置に表示される画面２５０を示す。画面２５０は、店舗のワインリストを提示するための店舗ワインリスト画面の一例である。画面２５０は、例えば、図２Ｂに示される領域２１５ａを選択することによって画面２１０から遷移した画面である。図２Ｆに示される例では、画面２５０は、店舗Ａのワインリストを提示している。図２Ｆに示される例では、画面２５０は、予約ボタン２４１と、ワイン持込情報２４２と、ワイン直送情報２４３と、ワインリスト内にリストアップされているワインを予約するためのリストワイン予約ボタン２５１とを含む。
【００６０】
図２Ｆに示される例では、店舗Ａのワインリストは、価格「１２３４５円」のワインＡと、価格「６００００円」のワインＸと、価格「４５０００円」のワインＹとを含む。ワインリスト内のリストワイン予約ボタン２５１がユーザによって選択されると、画面２５０は、ワインＡおよび店舗Ａの両方を同時に予約するための画面に遷移する。これにより、ユーザは、ワインＡおよび店舗Ａの両方の予約を簡単に行うことが可能である。
【００６１】
図２Ｇは、ユーザ装置に表示される画面２６０を示す。画面２６０は、店舗を検索するための店舗検索画面の一例である。図２Ｇに示される例では、画面２６０は、検索条件「地域」を入力するための条件入力領域２６１と、検索条件「ジャンル」を入力するための条件入力領域２６２と、入力された検索条件に基づいて店舗の検索を開始するための検索ボタン２６３と、検索結果が提示される検索結果領域２６４とを含む。
【００６２】
図２Ｇに示される例では、条件入力領域２６１および条件入力領域２６２は、プルダウン形式で検索条件を選択することが可能であり、地域「渋谷・表参道・青山」を検索条件とした店舗の検索結果が、図２Ｇの検索結果領域２６４に表示されている。図２Ｇに示される例では、検索結果領域２６４は、検索条件を満たす店舗Ａの情報を示す領域２６４ａと、検索条件を満たす店舗Ｂの情報を示す領域２６４ｂと、検索条件を満たす店舗Ｃの情報を示す領域２６４ｃと、検索条件を満たす店舗Ｄの情報を示す領域２６４ｄとを含む。
【００６３】
図２Ｇに示される領域２６４ａがユーザによって選択されると、例えば、画面は、図２Ｇの画面２６０から図２Ｅの画面２４０または図２Ｆの画面２５０に遷移する。画面が図２Ｇの画面２６０から図２Ｆの画面２５０に遷移する場合、ユーザは、画面２５０上のリストワイン予約ボタン２５１を選択することにより、店舗Ａの予約とワインＡの予約とを同時に行うことが可能である。
【００６４】
なお、図２Ｂに示される例では、料理情報領域２１２において、ワインＡに合う料理が、その料理を提供することが可能な店舗に関連付けられた状態で提示されているが、本発明は、これに限定されない。例えば、図２Ｂの料理情報領域２１２において、ワインＡに合う１つ以上の料理のみが料理情報領域２１２においてユーザに提示され、次いで、提示された１つ以上の料理のうちの１つをユーザが選択すると、画面２１０が、その選択された料理を提供することが可能な店舗の情報を提示している画面に遷移するようにしてもよい。これにより、ユーザは、所望のワイン、その所望のワインに合う料理、その所望のワインに合う料理を提供することが可能な店舗をこの順番で選択することが可能である。
【００６５】
また、図２Ａに示される実施形態では、２本のおすすめワインと２本の新着ワインとが画面２００に表示されているが、本発明はこれに限定されない。画面２００において、おすすめワインとして表示されるワインの数、および、新着ワインとして表示されるワインの数は、１以上の任意の整数である。
【００６６】
また、図２Ｂに示される実施形態では、ワインＡに合う料理とワインＡが飲める店舗とがそれぞれ３種類ずつ画面２１０に表示されているが、本発明はこれに限定されない。画面２１０に表示される、ワインＡに合う料理の数、および、ワインＡが飲める店舗の数は、１以上の任意の整数である。
【００６７】
また、図２Ｄに示される実施形態では、ワインＡに合う料理を提供する店舗が画面２３０に６件表示されているが、本発明はこれに限定されない。画面２３０に表示される、ワインＡに合う料理を提供する店舗の数は、１以上の任意の整数である。
【００６８】
また、図２Ｆに示される実施形態では、店舗Ａの３本のワインが画面２５０にリスト表示されているが、本発明はこれに限定されない。画面２５０にリスト表示される店舗Ａのワインの数は、１以上の任意の整数である。
【００６９】
また、図２Ｇに示される実施形態では、店舗の検索結果として４件の店舗が画面２６０に表示されているが、本発明はこれに限定されない。店舗の検索結果として画面２６０に表示される店舗の数は、１以上の任意の整数である。また、図２Ｇに示される実施形態では、検索条件のカテゴリとして「地域」および「ジャンル」が存在するが、本発明はこれに限定されない。任意の数の任意のカテゴリを店舗の検索条件とすることが可能であってもよい。
【００７０】
３．新しいビジネスモデルを実現するためのコンピュータシステムの構成
図３は、上述した新しいビジネスモデルを実現するためのコンピュータシステム３００の構成の一例を示す。
【００７１】
図３に示される実施形態では、コンピュータシステム３００は、インターネット３１０を介して、ユーザによって使用される少なくとも１つのユーザ装置３２０１〜３２０Ｎ、および、店舗によって使用される少なくとも１つの店舗装置３３０１〜３３０Ｍに接続されることが可能なように構成されている。ここで、Ｍ、Ｎは、１以上の任意の整数である。
【００７２】
コンピュータシステム３００は、卸業者が運営・管理するものである。図３に示される実施形態では、コンピュータシステム３００は、インターフェース部３０１と、１つ以上のＣＰＵ（Ｃｅｎｔｒａｌ  Ｐｒｏｃｅｓｓｉｎｇ  Ｕｎｉｔ）を含むプロセッサ部３０２と、メモリ部３０３とを含む。コンピュータシステム３００のハードウェア構成はその機能を実現できる限りにおいて特に限定されず、単一のマシンで構成されていてもよく、複数台のマシンを組み合わせて構成されたものであってもよい。
【００７３】
インターフェース部３０１は、少なくとも１つのユーザ装置３２０１〜３２０Ｎ、および、少なくとも１つの店舗装置３３０１〜３３０Ｍとの間の通信を制御する。
【００７４】
メモリ部３０３には、処理を実行するために必要とされるプログラムやそのプログラムを実行するために必要とされるデータ等が格納されている。ここで、プログラムをどのようにしてメモリ部３０３に格納するかは問わない。例えば、プログラムは、メモリ部３０３にプリインストールされていてもよい。あるいは、プログラムは、インターネット３１０などのネットワークを経由してダウンロードされることによってメモリ部３０３にインストールされるようにしてもよいし、光ディスクやＵＳＢなどの記憶媒体を介してメモリ部３０３にインストールされるようにしてもよい。
【００７５】
プロセッサ部３０２は、コンピュータシステム３００全体の動作を制御する。プロセッサ部３０２は、メモリ部３０３に格納されているプログラムを読み出し、そのプログラムを実行する。これにより、コンピュータシステム３００は、所望のステップを実行する装置として機能することが可能であり、ウェブサイトを提供するウェブサーバとして機能することが可能である。
【００７６】
コンピュータシステム３００には、データベース部３４０が接続されている。データベース部３４０は、ワインデータベース部３４１と店舗データベース部３４２とを含む。
【００７７】
少なくとも１つのユーザ装置３２０１〜３２０Ｎのそれぞれは、インターネット３１０を介してコンピュータシステム３００と通信することが可能なように構成されている。例えば、少なくとも１つのユーザ装置３２０１〜３２０Ｎのそれぞれは、携帯電話、スマートフォン、タブレット端末、スマートグラス、スマートウォッチ端末等の携帯無線端末であってもよいし、デスクトップＰＣ、ラップトップＰＣ、ノートＰＣ等のパーソナルコンピュータであってもよい。
【００７８】
少なくとも１つの店舗装置３３０１〜３３０Ｍのそれぞれは、インターネット３１０を介してコンピュータシステム３００と通信することが可能なように構成されている。例えば、少なくとも１つの店舗装置３３０１〜３３０Ｍのそれぞれは、店舗ごとの消費を総合的に管理する管理装置であってもよいし、ＰＯＳシステム（販売時点情報管理システム）を用いたレジスタであってもよい。
【００７９】
なお、図３に示される実施形態では、少なくとも１つのユーザ装置３２０１〜３２０Ｎがインターネット３１０を介してコンピュータシステム３００と通信可能であると説明したが、本発明はこれに限定されない。インターネット３１０の代わりに任意のタイプのネットワークを用いることも可能である。なお、インターネット３１０およびその代わりの任意のネットワークを介することなく、少なくとも１つのユーザ装置３２０１〜３２０Ｎをコンピュータシステム３００に電気的に結合した構成もまた本発明の範囲内である。さらに、ユーザ装置３２０１の機能およびコンピュータシステム３００の機能の両方を一体的に組み込んだシステム（すなわち、スタンドアロン型のシステム）をコンピュータシステム３００として構築してもよい。このようなスタンドアロン型のコンピュータシステム３００もまた本発明の範囲内である。
【００８０】
また、図３に示される実施形態では、データベース部３４０は、コンピュータシステム３００の外部に設けられているが、本発明はこれに限定されない。データベース部３４０をコンピュータシステム３００の内部に設けることも可能である。データベース部３４０の構成は、特定のハードウェア構成には限定されない。例えば、データベース部３４０は、単一のハードウェア部品で構成されてもよいし、複数のハードウェア部品で構成されてもよい。例えば、データベース部３４０は、コンピュータシステム３００の単一の外付けハードディスク装置として構成されてもよいし、ネットワークを介して接続されるクラウド上のストレージとして構成されてもよい。さらに、データベース部３４０に含まれる各データベース部の構成もまた特定のハードウェア構成には限定されない。例えば、データベース部３４０に含まれる各データベース部もまた、単一のハードウェア部品で構成されてもよいし、複数のハードウェア部品で構成されてもよい。
【００８１】
図４Ａは、ワインデータベース部３４１に格納されている情報の構成の一例を示す。
【００８２】
ワインデータベース部３４１には、ワインに関する情報が格納されている。ワインに関する情報は、ワインを識別するための情報（ワインＩＤ）によって識別されることが可能である。ワインデータベース部３４１には、例えば、ワインの銘柄（品種）、ブドウの種類（タイプ）、ブドウ畑の場所（産地）、ワインの収穫年（ヴィンテージ）、ボディ、価格、相性の良い料理、相性の良い料理のタイプなどがさらに格納されている。
【００８３】
ワインデータベース部３４１に格納されているワインに関する情報は、特定の店舗が提供可能なワインの情報に限定されない。ワインデータベース部３４１に格納されているワインに関する情報は、複数の店舗を卸売先とする卸業者が所有するワインの情報の少なくとも一部を含んでいてもよい。ワインデータベース部３４１に格納されているワインに関する情報は、卸業者の仕入れ先である仕入業者（インポーター）が所有するワインの情報の少なくとも一部を含んでいてもよい。これにより、コンピュータシステム３００は、卸業者が所有するワインの情報と、仕入業者が所有するワインの情報とをユーザに提示することが可能であり、それ故、顧客は、ワインの選択肢が特定の店舗の在庫に限定されることなく、バリエーション豊かな様々なワインを吟味することが可能である。
【００８４】
図４Ｂは、店舗データベース部３４２に格納されている情報の構成の一例を示す。
【００８５】
店舗データベース部３４２には、店舗に関する情報が格納されている。店舗に関する情報は、店舗を識別するための情報（店舗ＩＤ）によって識別されることが可能である。店舗データベース部３４２には、例えば、店舗の店名、住所、ジャンル、営業日時、アクセス方法、特色、ユーザ（顧客）に提供可能なワインをリスト化したワインリスト、ワインの持ち込みの可否を示す情報、ワインの直送の可否を示す情報、ワインの在庫を示す情報、提供可能な料理を示す情報などがさらに格納されている。
【００８６】
コンピュータシステム３００は、例えば、ワインデータベース部３４１内の「相性の良い料理」と店舗データベース部３４２内の「提供可能な料理を示す情報」とを参照することにより、特定のワインと相性が良い料理を提供することが可能な店舗の情報の提示を実現することが可能である。
【００８７】
４．コンピュータシステムの処理
図５は、コンピュータシステム３００において実行される処理のフローの一例を示す。図５に示される実施形態では、ユーザは、飲みたいワインを選択し、次いで、行きたい店舗を選択する。図５に示される各ステップは、コンピュータシステム３００に含まれるプロセッサ部３０２によって実行される。以下、図５に示される各ステップを詳しく説明する。
【００８８】
ステップＳ５０１：複数のワインの情報をユーザに提示するための処理が実行される。この処理は、例えば、複数のワインの情報をユーザに提示することをユーザ装置に行わせる処理を含む。このステップは、図２Ａに示される画面２００に対応する。このステップにおいて提示される複数のワインの情報は、例えば、ワインデータベース部３４１に格納されているワインの情報（例えば、卸業者が所有するワインの情報、および／または、卸業者の仕入れ先である仕入れ業者が所有するワインの情報）である。
【００８９】
なお、複数のワインの情報は、平常時にユーザに提供している複数のワインの情報であってもよいし、複数のワインのリアルタイムな情報であってもよい。すなわち、コンピュータシステム３００のプロセッサ部３０２は、（例えば、各店舗におけるワインの消費を示す情報、および／または、卸業者によるワインの仕入れを示す情報に基づいて）ユーザに提示される複数のワインの情報をリアルタイムに更新することが可能なように構成されていてもよい。
【００９０】
ステップＳ５０２：複数のワインのうちの１つを選択するユーザ入力を受信するための処理が実行される。このステップは、例えば、図２Ａの画面２００に示される領域２０２が選択されることに対応する。複数のワインのうちの１つを選択するユーザ入力は、例えば、ユーザが使用しているユーザ装置から受信される。
【００９１】
ステップＳ５０３：選択されたワインに対応する１つ以上の店舗の情報をユーザに提示するための処理が実行される。この処理は、例えば、選択されたワインに対応する１つ以上の店舗の情報をユーザに提示することをユーザ装置に行わせる処理を含む。このステップは、図２Ｂに示される画面２１０または図２Ｄに示される画面２３０に対応する。
【００９２】
選択されたワインに対応する１つ以上の店舗は、例えば、選択されたワインに合う料理をユーザに提供することが可能な１つ以上の店舗、選択されたワインをユーザに提供することが可能な１つ以上の店舗、選択されたワインと選択されたワインに合う料理との両方を提供することが可能な１つ以上の店舗を含むが、これらに限定されない。
【００９３】
ステップＳ５０４：選択されたワインに対応する１つ以上の店舗のうちの１つを選択するユーザ入力を受信するための処理が実行される。このステップは、例えば、図２Ｂの画面２１０に示される領域２１４ａ、領域２１４ｂ、領域２１４ｃ、持込予約ボタン２１４α、直送予約ボタン２１４β、領域２１５ａ、領域２１５ｄ、領域２１５ｅのいずれか、または、図２Ｄの画面２３０に示される領域２３１ａ、領域２３１ｂ、領域２３１ｃ、領域２３１ｆ、領域２３１ｇ、領域２３１ｈのいずれかが選択されることに対応する。選択されたワインに対応する１つ以上の店舗のうちの１つを選択するユーザ入力は、例えば、ユーザが使用しているユーザ装置から受信される。
【００９４】
ステップＳ５０５：選択されたワインを購入または予約するための処理が実行される。このステップは、例えば、図２Ｂの画面２１０に示される持込予約ボタン２１４αや直送予約ボタン２１４β、または、図２Ｅの画面２４０および図２Ｆの画面２５０に示される予約ボタン２４１、または、図２Ｆの画面２５０に示されるリストワイン予約ボタン２５１が選択されることに対応する。
【００９５】
ステップＳ５０６：選択された店舗を予約するための処理が実行される。選択された店舗を予約するための処理は、例えば、選択された店舗への選択されたワインの持ち込みを前提として、選択された店舗を予約するための処理、選択された店舗への選択されたワインの直送を前提として、選択された店舗を予約するための処理を含む。
【００９６】
選択された店舗への選択されたワインの持ち込みを前提として選択された店舗を予約するための処理は、例えば、選択された店舗を予約するユーザにワインの持ち込み料を請求するためのフラグを立てるための処理などを含む。選択された店舗への選択されたワインの直送を前提として選択された店舗を予約するための処理は、例えば、直送されるワインと予約したユーザとを関連付けるために、選択された店舗を予約するユーザの予約情報と、選択されたワインの配送情報とを関連付けるための処理などを含む。
【００９７】
なお、図５に示される実施形態では、ワインの情報の提示の後に店舗の情報の提示を実行する例を説明したが、本発明はこれに限定されない。コンピュータシステム３００のプロセッサ部３０２は、例えば、ステップＳ５０２においてユーザ入力を受信したことに応答して、選択されたワインに合う１つ以上の料理の情報をユーザに提示することと、選択されたワインに合う１つ以上の料理のうちの１つを選択するユーザ入力を受信することとをさらに実行するように構成されていてもよく、ステップＳ５０３において、選択されたワインに合う１つ以上の料理のうちの１つを選択するユーザ入力を受信したことに応答して、選択された料理をユーザに提供することが可能な１つ以上の店舗の情報をユーザに提示することをさらに実行するように構成されていてもよい。
【００９８】
図６は、コンピュータシステム３００において実行される処理のフローの他の一例を示す。図６に示される各ステップは、図５に示されるステップＳ５０６の詳細なフローの一例である。図６に示される実施形態では、ユーザが所望の店舗内で所望のワインを飲むことを希望しているものとする。以下、図６に示される各ステップを詳しく説明する。
【００９９】
ステップＳ６０１：図５のステップＳ５０２において選択されたワインが、図５のステップＳ５０４において選択された店舗の在庫に存在するか否かを判定するための処理が実行される。この処理は、例えば、店舗データベース部３４２に格納されているワインの在庫を示す情報に基づいて実行される。判定結果が「Ｙｅｓ」の場合には、処理はステップＳ６０２に進み、判定結果が「Ｎｏ」の場合には、処理はステップＳ６０３に進む。
【０１００】
ステップＳ６０２：選択された店舗において選択されたワインをユーザに提供するために、選択されたワインを選択された店舗に取り置くための処理が実行される。選択されたワインを選択された店舗に取り置くための処理は、例えば、選択された店舗における選択されたワインの在庫を低減させるように、選択された店舗における選択されたワインの在庫を示す情報を更新するための処理を含む。
【０１０１】
ステップＳ６０３：選択された店舗において選択されたワインをユーザに提供するために、選択されたワインを選択された店舗に配送するための処理が実行される。選択されたワインを選択された店舗に配送するための処理は、例えば、選択された店舗への選択されたワインの配送を手配するための処理を含む。
【０１０２】
ステップＳ６０４：選択された店舗における選択されたワインの提供を前提として、選択された店舗を予約するための処理が実行される。この処理は、例えば、取り置かれているワインの情報または配送されているワインの配送情報と関連付けるように、選択された店舗の予約情報を生成するための処理を含む。
【０１０３】
図７は、コンピュータシステム３００において実行される処理のフローの一例を示す。図７に示される実施形態では、ユーザは、行きたい店舗を選択し、次いで、飲みたいワインを選択する。図７に示される各ステップは、コンピュータシステム３００に含まれるプロセッサ部３０２によって実行される。以下、図７に示される各ステップを詳しく説明する。
【０１０４】
ステップＳ７０１：複数の店舗の情報をユーザに提示するための処理が実行される。この処理は、例えば、複数の店舗の情報をユーザに提示することをユーザ装置に行わせる処理を含む。
【０１０５】
ステップＳ７０２：複数の店舗のうちの１つを選択するユーザ入力を受信するための処理が実行される。このステップは、例えば、図２Ｇの画面２６０に示される領域２６４ａ、領域２６４ｂ、領域２６４ｃ、領域２６４のいずれかが選択されることに対応する。複数の店舗のうちの１つを選択するユーザ入力は、例えば、ユーザが使用しているユーザ装置から受信される。
【０１０６】
ステップＳ７０３：選択された店舗に対応する１本以上のワインの情報をユーザに提示するための処理が実行される。この処理は、例えば、選択された店舗に対応する１本以上のワインの情報をユーザに提示することをユーザ装置に行わせる処理を含む。このステップは、図２Ｆに示される画面２５０に対応する。
【０１０７】
選択された店舗に対応する１本以上のワインは、例えば、選択された店舗においてユーザが飲む１本以上のワイン（例えば、選択された店舗の在庫に存在する１本以上のワイン、（選択された店舗の在庫には存在しないが）選択された店舗への配送によって選択された店舗においてユーザに提供可能な１本以上のワイン、（選択された店舗の在庫には存在しないが）選択された店舗への配送によって選択された店舗においてユーザが飲む１本以上のワインなど）を含む。選択された店舗に対応する１本以上のワインは、複数の店舗を卸売先とする卸業者が少なくとも所有する１本以上のワイン（例えば、卸業者が所有するワイン、および／または、卸業者の仕入れ先である仕入れ業者が所有するワイン）も含む。
【０１０８】
ステップＳ７０４：選択された店舗に対応する１本以上のワインのうちの１つを選択するユーザ入力を受信するための処理が実行される。このステップは、例えば、図２Ｆの画面２５０に示されるリストワイン予約ボタン２５１が選択されることに対応する。選択された店舗に対応する１本以上のワインのうちの１つを選択するユーザ入力は、例えば、ユーザが使用しているユーザ装置から受信される。
【０１０９】
ステップＳ７０５：選択された店舗と、選択されたワインとを予約するための処理が実行される。この処理は、例えば、選択された店舗における予約情報（ユーザに提供されるべき選択されたワインの情報を含む予約情報）を生成するための処理を含む。
【０１１０】
図８は、コンピュータシステム３００において実行される処理のフローの一例を示す。図８に示される各ステップは、コンピュータシステム３００に含まれるプロセッサ部３０２によって実行される。以下、図８に示される各ステップを詳しく説明する。
【０１１１】
ステップＳ８０１：（例えば、予約された店舗において）ユーザが消費したワインの情報を受信するための処理が実行される。ユーザが消費したワインの情報は、例えば、予約された店舗における店舗装置から受信される。なお、ユーザが消費したワインは、ワインの予約時にユーザによって選択されたワインと、予約された店舗に持ち込まれたワインまたは予約された店舗に配送されたワインまたは予約された店舗の在庫に存在したワインとを含み得る。
【０１１２】
ステップＳ８０２：ユーザが消費したワインの情報に基づいて、購入または予約されたワインを含むワインの消費傾向を評価するための処理が実行される。ワインの消費傾向を評価するための処理は、例えば、ユーザが消費したワインの情報を統計的に分析するための処理、ユーザが消費したワインの情報をグラフにまとめるための処理などを含む。
【０１１３】
このように、卸業者（コンピュータシステム３００）は、予約された店舗においてユーザが消費したワインの情報を利用して、ワインの消費傾向（例えば、旬のワイン、流行りのワイン）を特定することが可能であり、ひいては、ワインの仕入れの最適化、各店舗におけるワインの品揃えの最適化などを図ることが可能である。
【０１１４】
なお、図５〜図８に示される実施形態では、プロセッサ部がメモリ部に格納されたプログラムを実行することによって、図５〜図８に示される各ステップの処理が実現される例を説明したが、本発明はこれに限定されない。図５〜図８に示される各ステップのうちの少なくとも一部の処理が制御回路などのハードウェア構成によって実現されてもよい。
【０１１５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【０１１６】
本発明は、ユーザが予約した店舗においてユーザが飲みたいワインを飲むことができるように、ユーザがワインを購入または予約することを可能にするシステム、そのシステムにおいて実行される方法およびプログラム等を提供するものとして有用である。
【符号の説明】
【０１１７】
３００  コンピュータシステム
３１０  インターネット
３２０１〜３２０Ｎ  ユーザ装置
３３０１〜３３０Ｍ  店舗装置
３４０  データベース部
【図１】
2020194490.tif 000003
【図２Ａ】
2020194490.tif 000004
【図２Ｂ】
2020194490.tif 000005
【図２Ｃ】
2020194490.tif 000006
【図２Ｄ】
2020194490.tif 000007
【図２Ｅ】
2020194490.tif 000008
【図２Ｆ】
2020194490.tif 000009
【図２Ｇ】
2020194490.tif 000010
【図３】
2020194490.tif 000011
【図４Ａ】
2020194490.tif 000012
【図４Ｂ】
2020194490.tif 000013
【図５】
2020194490.tif 000014
【図６】
2020194490.tif 000015
【図７】
2020194490.tif 000016
【図８】
2020194490.tif 000017